(57)【要約】【課題】外部のオーディオプレーヤをオーディオ装置に接続し、オーディオ装置で再生して使用する際、不使用時には確実に外部接続オーディオプレーヤの電池の消費を低減する作動を行う「オーディオ装置」とする。【解決手段】車載オーディオ装置１と携帯オーディオプレーヤ２５とを接続して、車載オーディオ装置１で再生して使用するとき、再生が終了したことを検出したとき、またユーザが他のオーディオソースに切り換えたことを検出したとき、また車載オーディオ装置の使用を停止したことを検出したとき、また車両のＡＣＣスイッチをＯＦＦしたことを検出したとき、またナビゲーション装置２２を接続している時にナビゲーション装置が目的地に案内をしており、目的地到着検出部２３で車両が目的地に近接したことを検出したときには、携帯オーディオプレーヤに電源ＯＦＦ信号を出力し、電池消費低減状態とする。【選択図】図１
2009129504.tif 000002
【特許請求の範囲】
【請求項１】
外部のオーディオプレーヤと信号を授受可能に接続する外部オーディオプレーヤ接続部と、
前記外部に接続したオーディオプレーヤから取り込んだオーディオデータを再生して出力するオーディオ再生部と、
外部に接続したオーディオプレーヤに対して電源ＯＦＦ信号を出力する電源ＯＦＦ信号出力部とを備え、
前記電源ＯＦＦ信号出力部では、外部に接続したオーディオプレーヤを利用しない状態を検出したとき、接続したオーディオプレーヤに電源ＯＦＦ信号を出力することを特徴とするオーディオ装置。
【請求項２】
前記外部に接続したオーディオプレーヤを利用しない状態は、オーディオ装置での外部接続オーディオプレーヤを用いた再生を停止したとき、または外部接続オーディオプレーヤの再生出力から他のオーディオソースに切り換えたとき、またはオーディオ装置の電源をＯＦＦしたとき、または車両のＡＣＣ電源をＯＦＦしたときのいずれかの状態であることを特徴とする請求項１記載のオーディオ装置。
【請求項３】
前記外部に接続したオーディオプレーヤを利用しない状態は、オーディオ装置に作動中のナビゲーション装置を信号の授受可能に接続しているとき、ナビゲーション装置により車両が目的地に接近したことを検出した状態であることを特徴とする請求項１記載のオーディオ装置。
【請求項４】
前記外部接続オーディオプレーヤの電源ＯＦＦ信号により、外部接続オーディオプレーヤの電池消費を低減する機能を作動することを特徴とする請求項１記載のオーディオ装置。
【請求項５】
前記電源ＯＦＦ信号出力部には、外部接続オーディオプレーヤの電源をＯＮする信号も出力し、前記電源ＯＦＦされた外部接続オーディオプレーヤを再びＯＮすることを特徴とする請求項１記載のオーディオ装置。  
【発明の詳細な説明】
【技術分野】
【０００１】
本発明は例えば携帯オーディオプレーヤ等を車載オーディオ装置に接続し、車載オーディオ装置により携帯オーディオプレーヤの再生出力を行うことができるようにしたオーディオ装置に関する。
【背景技術】
【０００２】
近年のオーディオ技術及びデータ記憶装置の進歩により、小型の携帯用オーディオ装置にメモリチップや小型ハードディスク等のオーディオデータ記録媒体を内蔵し、このオーディオ記録媒体に多量のオーディオデータを記録して、このオーディオプレーヤを携帯して、いつでもどこでも音楽を聴きたいと思ったときに任意の曲を選択して再生し、聴くことが広く普及している。
【０００３】
このような携帯型のオーディオプレーヤは、単にオーディオデータのみを記録する以外に、オーディオと関連した映像も記録し、携帯オーディオプレーヤの画面にこれを表示して、オーディオと共に視聴することも行われるようになっている。更に近年は、このような携帯型機器において、オーディオに関連したデータを記録して再生する以外に、デジタルテレビ受信機能も備え、ドラマや映画を録画し、ユーザの時間の空いているときにこれを見ることも行われるようになっている。なお、本発明においては、これらの映像データの再生用機器も含めて、「携帯オーディオプレーヤ」と略称する。
【０００４】
上記のような携帯オーディオプレーヤは、ユーザが常時これを持ち運び、いつでもこれを聴くことができるように携帯しており、しかも大量のオーディオデータを記録することができるので、自分の好みの曲の殆どをこの携帯オーディオプレーヤのメモリ等のデータ記録媒体に記録していることが多い。そのため、このユーザが車両を運転するときに聴きたいと思ったとき、或いは車両に搭乗した人がそれを聴きたいと思ったときには、特に車載オーディオ装置の音響効果が優れているので、その携帯オーディオプレーヤを車載オーディオ装置に出力して聴きたいと思うことが多い。
【０００５】
そのようなときのために例えば図４に示すように、車載オーディオ装置４１には外部オーディオプレーヤ接続部４２を設け、通常はヘッドフォン４３等により聴いている携帯オーディオプレーヤ４４の外部機器接続部４５と専用コード、或いはＵＳＢケーブル等の接続線４６を容易に接続できるようにし、或いはトランスミッターやブルートゥースを用いて無線により、車載オーディオ装置の操作部４７等で容易に携帯オーディオプレーヤ４４の再生、或いはデータ出力ができるようにし、車両に搭載しているスピーカシステム４８で聴くことができるようにした車載オーディオ装置も普及している。なお、図４に示す車載オーディオ装置４１にはナビゲーション装置４９も接続している例を示している。
【０００６】
上記携帯オーディオプレーヤの多くのものは、これを単体で使用する際にはプレーヤの本体に設けている操作部を操作し、画面に表示される各種の項目を選択して決定し、曲の選択、再生モードの選択等を行うようにしている。また、電源のＯＮ・ＯＦＦ部を設けて、プレーヤの使用開始時に電源をＯＮする操作を行い、使用終了時にはＯＦＦする操作を行っている。更に、各種のオーディオ機器と同様に、このプレーヤが例えば３時間等の所定時間以上何らの操作を行うことなく継続して再生しているときには、ユーザはこのプレーヤを使用していない可能性が高いとして、自動的に電源をＯＦＦし、或いはスリープ機能等の電力を殆ど使用しない状態にする機能を働かせることも行われている。そのほか、予め指示した再生曲が全て再生したときには、例えば１０分等の所定時間以上他の再生指示を行わないときには前記と同様に、電源をＯＦＦし、或いはスリープ機能を働かせることも行われている。
【０００７】
この携帯オーディオプレーヤを車載オーディオ装置に接続して前記のように用いる際には、車載オーディオ装置によって曲の選択を初め、種々の再生操作を行うことができるものであるが、車載オーディオ装置に接続して再生を行っているときにおいても、再生が終了してそのままにしていると、携帯オーディオプレーヤは所定時間経過した後電源をＯＦＦ視、或いはスリープ機能等、電池の消費電力を押さえる状態に移行させている。
【０００８】
また、携帯オーディオプレーヤに充電用電池を内蔵しているとき、携帯オーディオプレーヤと車載オーディオ装置とをＵＳＢケーブルで接続し、ＵＳＢケーブルを介して車載オーディオ装置から携帯オーディオプレーヤに電流を供給し、充電を行うこともでき、またこのＵＳＢケーブルによりデータ送受信、及び再生指示信号の授受も可能となる。その場合においても、車載オーディオ装置側の電源をＯＦＦしたとき、また車両自体のＡＣＣスイッチをＯＦＦしたときには、携帯オーディオプレーヤではその後所定時間経過した後に電源をＯＦＦする等の消費電力を低減する手段を作動させていた。
【０００９】
なお、外部装置からの受信データ信号のレベルが所定の閾値を超えるか否かを検出し、その結果によってシリアルインターフェース回路の電源をＯＮ／ＯＦＦ制御することができるようにし、外部装置が活性状態にない場合には、シリアルインタフェース回路の電源をＯＦＦにする技術は特開平５−６１５７３号公報に開示されている。
【特許文献１】特開平５−６１５７３号公報
【発明の開示】
【発明が解決しようとする課題】
【００１０】
前記のように、携帯オーディオプレーヤを車載オーディオ装置に接続して、車載オーディオ装置で携帯オーディオプレーヤのオーディオデータを再生出力するに際して、従来の装置においては車載オーディオ装置での再生が終了したとき、また車載オーディオ装置の使用を停止したとき、更には車両のキースイッチによりＡＣＣ電源をＯＦＦしたときにおいて、携帯オーディオプレーヤは車載オーディオ装置で再生出力を行っていないことを検出した後、所定時間待機し、その時間が経過した後に電源のＯＦＦ等、電池の消費を防ぐ機能を作動させていた。そのときの待機時間はユーザの使用の便宜を考慮し、例えば５分、或いは１０分等の比較的内外時間待機し、その後に前記の電池の消費を押さえる機能を作動させていた。
【００１１】
そのため、特に小型の携帯オーディオプレーヤにおいては電池容量が少ないことが多いので、貴重な電池の電流を消費してしまい、次にこの携帯オーディオプレーヤを使用するとき、電池切れで使用できなくなっていることが多くなる。また、携帯オーディオプレーヤに設けている電源ＳＷを頻繁にＯＮ、ＯＦＦすることも考えられるが、このような携帯オーディオプレーヤにおける電源ＳＷは誤操作を行わないように指の触りにくい箇所に設けられていることが多く、或いは特定のキーを長押ししなければならない等、操作性が悪いことが多かった。
【００１２】
したがって本発明は、携帯オーディオプレーヤを車載オーディオ装置に接続して、車載オーディオ装置で再生操作するとき、車載オーディオ装置での再生が終了し、または車載オーディオ装置の電源をＯＦＦし、或いは車両のキースイッチを操作してＡＣＣ電源をＯＦＦしたとき、更にはより適切なときにおいて、速やかに携帯オーディオプレーヤの電源をＯＦＦする等の、電池の消費を押さえる機能を作動させることができるようにしたオーディオ装置を提供することを主たる目的とする。
【課題を解決するための手段】
【００１３】
本発明に係るオーディオ装置は、前記課題を解決するため、外部のオーディオプレーヤと信号を授受可能に接続する外部オーディオプレーヤ接続部と、前記外部に接続したオーディオプレーヤから取り込んだオーディオデータを再生して出力するオーディオ再生部と、外部に接続したオーディオプレーヤに対して電源ＯＦＦ信号を出力する電源ＯＦＦ信号出力部とを備え、前記電源ＯＦＦ信号出力部では、外部に接続したオーディオプレーヤを利用しない状態を検出したとき、接続したオーディオプレーヤに電源ＯＦＦ信号を出力することを特徴とする。
【００１４】
また、本発明に係る他のオーディオ装置は、前記オーディオ装置において、前記外部に接続したオーディオプレーヤを利用しない状態が、オーディオ装置での外部接続オーディオプレーヤを用いた再生を停止したとき、または外部接続オーディオプレーヤの再生出力から他のオーディオソースに切り換えたとき、またはオーディオ装置の電源をＯＦＦしたとき、または車両のＡＣＣ電源をＯＦＦしたときのいずれかの状態であることを特徴とする請求項１記載のオーディオ装置。
【００１５】
また、本発明に係る他のオーディオ装置は、前記オーディオ装置において、前記外部に接続したオーディオプレーヤを利用しない状態は、オーディオ装置に作動中のナビゲーション装置を信号の授受可能に接続しているとき、ナビゲーション装置により車両が目的地に接近したことを検出した状態であることを特徴とする。
【００１６】
また、本発明に係る他のオーディオ装置は、前記オーディオ装置において、前記外部接続オーディオプレーヤの電源ＯＦＦ信号により、外部接続オーディオプレーヤの電池消費を低減する機能を作動することを特徴とする。
【００１７】
また、本発明に係る他のオーディオ装置は、前記オーディオ装置において、前記電源ＯＦＦ信号出力部には、外部接続オーディオプレーヤの電源をＯＮする信号も出力し、前記電源ＯＦＦされた外部接続オーディオプレーヤを再びＯＮすることを特徴とする。
【発明の効果】
【００１８】
携帯オーディオプレーヤ等のオーディオプレーヤを車載オーディオ装置に接続して、車載オーディオ装置で再生操作するとき、車載オーディオ装置での再生が終了し、または車載オーディオ装置の電源をＯＦＦし、或いは車両のキースイッチを操作してＡＣＣ電源をＯＦＦしたとき、更にはより適切なときにおいて、速やかに外部に接続したオーディオプレーヤの電源をＯＦＦする等の、電池の消費を押さえる機能を作動させることができる。また、ナビゲーション装置からの目的地に到着した信号を受信して外部接続オーディオプレーヤを電源ＯＦＦするものにおいては、的確なタイミングで、しかも確実に外部接続オーディオプレーヤの電源をＯＦＦすることができる。
【発明を実施するための最良の形態】
【００１９】
本発明は外部のオーディオプレーヤをオーディオ装置に接続し、オーディオ装置で再生して使用する際、オーディオ装置で使用しなくなったときには確実に外部接続オーディオプレーヤの電池の消費を低減する作動を行わせるという課題を、外部のオーディオプレーヤと信号を授受可能に接続する外部オーディオプレーヤ接続部と、前記外部に接続したオーディオプレーヤから取り込んだオーディオデータを再生して出力するオーディオ再生部と、外部に接続したオーディオプレーヤに対して電源ＯＦＦ信号を出力する電源ＯＦＦ信号出力部とを備え、前記電源ＯＦＦ信号出力部では、外部に接続したオーディオプレーヤを利用しない状態を検出したとき、接続したオーディオプレーヤに電源ＯＦＦ信号を出力することによって実現した。
【実施例１】
【００２０】
本発明の実施例を図面に沿って説明する。図１は本発明の機能ブロック図であり、車載オーディオ装置１と携帯オーディオプレーヤ２１とを、有線或いは無線の信号送受信系統４０により接続している状態を示している。図１に示す車載オーディオ装置１には、携帯オーディオプレーヤ２１と接続するための外部オーディオプレーヤ接続部２を備え、特にその中の信号入出力部３によって、携帯オーディオプレーヤ２１において同様の構成を備える外部オーディオ装置接続部３３の信号入出力部３４と信号の授受可能に接続している。なお、このような接続に際しては、ケーブルによる有線以外に、トランスミッターやブルートゥース等による無線接続等、種々の接続手法を採用することができる。
【００２１】
オーディオデータ入力部４では、信号入出力部３から取り込んだ携帯オーディオプレーヤ２５におけるオーディオデータ蓄積部２６のオーディオデータを、オーディオデータ出力部３５を介して入力する。オーディオデータ入力部４で入力したオーディオデータはオーディオ再生部５に出力し、オーディオ再生部５においてはこれを再生処理し、音声はオーディオ出力部６から車内のスピーカシステム７に出力し、このオーディオデータに関連する画像、或いは再生中の曲のテキストデータ等は、画像出力部８からも似た９に出力して表示する。なお、ここで述べている「オーディオプレーヤ」は前記のように映像データの再生用機器も含めて「オーディオプレーヤ」と略称しており、そのような映像データの再生に際しては、モニタ９にこの主たる映像を出力し、その映像に関連する音声をスピーカ７から出力することとなる。
【００２２】
操作信号入力部１０にはモニタ９のタッチパネル１１、リモコン１２、更には車載オーディオ装置等に設置されている機器設置ＳＷ１３からの信号を入力している。それによりこの車載オーディオ装置における再生曲の選択、再生、早送り再生、戻し再生、停止等の種々の操作を可能とし、更には携帯オーディオプレーヤに対して電源ＯＮ、ＯＦＦの信号を出力できるようにしている。
【００２３】
なお、本発明においては携帯オーディオプレーヤの無用な内蔵電池の使用を防止するものであり、したがってそのような機能を有するならば、単に電源をＯＦＦする以外に「スリープ」機能等、電源を切らずに電池の消費を低減する種々の機能によっても実現することができるものであるが、以降説明をわかり易くするため、これらの状態を「電源ＯＦＦ」の状態として説明する。同様に電源ＯＮについても、単に電源をＯＮする以外に、前記のような内蔵電池の消費を低減する種々の手法で行った機能を解除する機能を含めて「電源ＯＮ」の状態としている。
【００２４】
図１に示す例においては接続機器識別部２０を備え、外部オーディオプレイーヤ接続部２で接続した携帯オーディオプレーヤ２５等の機器を識別し、ここに接続した携帯オーディオプレーヤ２５等が、後述するような外部からの電源ＯＦＦ信号により内蔵電源をＯＦＦする機能を備えている機器か否かを識別できるようにしている。
【００２５】
本発明においては、携帯オーディオプレーヤ２５に前記のような機能が存在するときに初めて作動できるものであり、したがって予めこのような機能を備えている携帯オーディオプレーヤ２５等を電源ＯＦＦ信号出力可能機器判別部２１に登録しておき、外部オーディオプレーヤ接続部２に外部オーディオプレーヤが接続された時、接続機器識別部２０では相互通信により機器認識を行い、電源ＯＦＦ信号出力可能機器判別部２１では、その識別データに基づき前記のような処理を行うこととなる。
【００２６】
図１に示す例においては再生停止検出部１６を備え、オーディオ再生部５における再生状態を監視し、再生が停止したことを検出するものであるが、特に多数の曲を連続して聴くことができるようにしたプレイーリストによる再生が停止したことを検出するようにしても良い。更に装置電源ＯＦＦ検出部１７を備え、この車載オーディオ装置１の電源がＯＦＦされたか否かを検出している。また、車両ＡＣＣ  ＯＦＦ検出部１８を備え、この車載オーディオ装置が搭載されている車両のキースイッチが操作され、ＡＣＣスイッチがＯＦＦしたか否かを検出している。
【００２７】
また、この車載オーディオ装置にナビゲーション装置２２が接続しているとき、このナビゲーション装置２２の作動により、車両が目的地に到着したか否かを、目的地到着検出部２３で検出している。このときの、車両が目的地に到着したか否かの判別に際しては、実際に目的地に到着したとき以外に、例えばナビゲーション装置で「目的地の近くです。案内を終了します。」のような目的地近傍への到着案内があったときのように、車両が目的地の近傍にまで走行したときにこれを検出するようにしても良い。
【００２８】
外部接続オーディオプレーヤ電源ＯＮＯＦＦ信号出力部１４においては、前記のように電源ＯＦＦ信号出力可能機器判別部２１で、外部オーディオプレーヤ接続部２に接続した携帯オーディオプレーヤ２５が、外部の信号により電源をＯＦＦする機能を備えた機器であることを検出したとき、再生停止検出部１６で再生を停止した信号を入力したか、また、携帯オーディオプレーヤの再生から他のソースに切り換える操作を行ったか、また電源ＯＦＦ検出部１７でこの車載オーディオ装置１の電源をＯＦＦした信号を入力したか、また車両ＡＣＣ  ＯＦＦ検出部１８で車両のＡＣＣをＯＦＦにしたか、また操作信号入力部１０からユーザによりタッチパネル１１の操作等によって現在接続している携帯オーディオプレーヤをＯＦＦする操作を行ったか、或いはナビゲーション装置２２を備えているとき、目的地到着検出部２３で車両が目的地に到着したことを検出したとき、のいずれか一つでも条件を満たすときには、外部接続オーディオプレーヤ電源ＯＮＯＦＦ信号出力部１４から、外部オーディオプレーヤ接続部２を介して携帯オーディオプレーヤ２５に対して、電源をＯＦＦする信号を出力する。
【００２９】
また、必要に応じてユーザの指示によりその後再び同じ携帯オーディオプレーヤ２５を使用したいと思ったとき、例えば外部接続機器の再生指示等の入力を行うことにより、先に電池消費を低減する状態としていた携帯オーディオプレーヤ２５を再び作動状態にすることができるようにしても良い。
【００３０】
携帯オーディオプレーヤ２５においてはほぼ従来のものと同様の構成を備えているが、主として異なる点は電源をＯＦＦするための電源ＯＮＯＦＦ指示部３７において、通常の操作指示入力部３２からの指示以外に、車載オーディオ装置１から入力した電源ＯＦＦ指示信号によっても電源ＯＦＦの指示を行うことができるようにした点である。即ち図１に示す携帯オーディオプレーヤ２５においては、オーディオデータを大量に記憶し蓄積可能なオーディオデータ蓄積部２６を備え、オーディオデータ再生部２７では携帯オーディオプレーヤ本体３０に設けた機器設置の操作部をユーザが操作することにより、曲の選択、再生、早送り再生、戻し再生、停止等の指示を行うことによって、操作信号入力部３２がこれを入力し、オーディオ再生部２７はその指示に従って所定の再生を行い、画像出力部２８から曲のテキストデータ及び各種案内画面を、携帯オーディオプレーヤ本体３０の表示部に表示し、オーディオ出力部２９からは再生したオーディオを携帯オーディオプレーヤ本体３０のイヤホンジャック等に出力できるようにしている。
【００３１】
この携帯オーディオプレーヤ２５においては、車載オーディオ装置１と前記のように接続することにより、車載オーディオ装置１から再生操作信号入力部３６を介して入力し、それによりオーディオ再生部２７はオーディオデータ蓄積部２６から所定のオーディオデータを選択し、オーディオデータ出力部３５から、外部オーディオ装置接続部３３の信号入出力部３４を介して車載オーディオ装置１に出力する。
【００３２】
また、前記のように車載オーディオ装置１の外部接続オーディオプレーヤ電源ＯＮＯＦＦ信号出力部１４から、接続した携帯オーディオプレーヤ２５の電源をＯＦＦする信号が出力され、これを電源ＯＮＯＦＦ指示部３７に入力したとき、操作信号入力部３２による電源ＯＦＦ信号とは別に電源制御部３８に信号を電源ＯＦＦ信号を出力し、電源制御部３８では内蔵電源３９をＯＦＦすることができるようにしている。なお、電源ＯＮＯＦＦ指示部３７においては、オーディオ再生部２７の作動を監視し、再生を停止して処置時間以上経過したときには電源をＯＦＦすることができるようにしている。また、外部接続オーディオプレーヤ電源ＯＮＯＦＦ信号出力部１４から電源ＯＮの信号を入力したときには、電池の消費を低減する状態を解除して、通常の作動状態にすることもできる。
【００３３】
上記のような機能ブロックからなる本発明のオーディオ装置においては、特に車載オーディオ装置においては図２に示す作動フローにしたがって順に作動させることができる。即ち図２に示す外部接続オーディオプレーヤを電源ＯＦＦする信号出力の処理の例においては、図１の外部接続オーディオプレーヤ電源ＯＮＯＦＦ信号出力部１４において、電源ＯＦＦ信号を出力する際の処理を行うものであり、図２の例においては最初に、外部接続したオーディオプレーヤは電源ＯＦＦ指示可能な特定機器か否かの判別を行っている（ステップＳ１１）。
【００３４】
即ち、図１の携帯オーディオプレーヤ２９のように、外部からの電源ＯＦＦ指示信号により、電源をＯＦＦする機能を備えているか否かを判別するものであり、図１の接続機器識別部２０で外部接続したオーディオ装置の機器を識別し、電源ＯＦＦ信号出力可能機器判別部１８で予め登録している機器であるか否かを判別することによりこの機能を自動的に行うことができるが、そのほかにユーザがこのような機能を備えている携帯オーディオプレーヤを接続したことを知っているときに、車載オーディオ装置にその旨の入力を行うことによっても対応可能である。
【００３５】
ステップＳ１１において外部接続オーディオプレーヤは電源ＯＦＦ指示可能な特定機器ではないと判別したときにはステップＳ１９に進んでこの処理を終了する。また、外部接続オーディオプレーヤは電源ＯＦＦ指示可能な特定機器であると判別したときには、図示の例では車載オーディオ装置で外部接続オーディオプレーヤの使用停止操作を行ったか否かの判別を行っている（ステップＳ１２）。この作動は図１の例では操作信号入力部１０でモニタ９のタッチパネルにおける例えば「Ｐｌａｙｅｒ  ＯＦＦ」等の表示部分にユーザがタッチしたことを検出したとき、或いはリモコン１２や機器設置ＳＷ１３でその旨の指示を行ったことを検出したとき、ステップＳ１２において車載オーディオ装置で外部接続オーディオプレーヤの使用停止操作を行ったと判別し、その際にはステップＳ１７に進んで、外部接続オーディオプレーヤに電源ＯＦＦ信号を出力する。
【００３６】
ステップＳ１２で車載オーディオ装置で外部接続オーディオプレーヤの使用停止操作を行っていないと判別したときには、図示の例では車載オーディオ装置で外部接続オーディオプレーヤから他のオーディオソースの使用に切り換えたか否かを判別している（ステップＳ１３）。この作動は図１の操作信号入力部１０で、ユーザが現在外部接続オーディオプレーヤを使用している状態から、例えばＣＤプレーヤや放送受信機等の他のオーディオ装置に切り換えたときにこれを検出する。車載オーディオ装置１で他のオーディオソースの使用に切り換えたと判別したときには、ステップＳ１８に進んで外部接続オーディオプレーヤに電源ＯＦＦ信号を出力する。
【００３７】
ステップＳ１３で車載オーディオ装置で外部接続オーディオプレーヤから他のオーディオソースの使用に切り換えてはいないと判別したときには、車載オーディオ装置の電源をＯＦＦしたか否かの判別を行っている（ステップＳ１４）。この判別は図１の例では装置電源ＯＦＦ検出部１７で行う。ステップＳ１４で車載オーディオ装置の電源をＯＦＦしたと判別したときには、ステップＳ１８に進んで外部接続オーディオプレーヤに電源ＯＦＦ信号を出力する。
【００３８】
ステップＳ１４で車載オーディオ装置の電源をＯＦＦしていないと判別したときには、車両のＡＣＣスイッチをＯＦＦしたか否かを判別している（ステップＳ１５）。この作動は図１の例では車両ＡＣＣ  ＯＦＦ検出部１８で行っており、ここでＡＣＣスイッチがＯＦＦされたことを検出したときには、ステップＳ１８に進んで前記と同様に外部接続オーディオプレーヤに電源ＯＦＦ信号を出力する。
【００３９】
ステップＳ１５で車両のＡＣＣスイッチのＯＦＦを検出しないときには、図示の例では車載オーディオ装置と作動中の車載ナビゲーション装置とを信号の授受可能に接続しているか否かを判別している（ステップＳ１６）。即ち、この車載オーディオ装置を搭載した車両に、例えば図に示す例のようにナビゲーション装置を備えており、しかもこのナビゲーション装置と車載オーディオ装置とを信号の授受可能に接続し、且つこの車載ナビゲーション装置が目的地の案内を行う作動中であるとき、ステップＳ１６において車載オーディオ装置と作動中の車載ナビゲーション装置とを信号の授受可能に接続していると判別する。
【００４０】
ステップＳ１６で車載オーディオ装置と作動中の車載ナビゲーション装置とを信号の授受可能に接続していないと判別したとき、即ちこの車両にナビゲーション装置を搭載していないとき、または搭載していても現在は目的地に案内をする作動を行っていないとき、またはナビゲーション装置と車載オーディオ装置とを信号の授受可能に接続していないときには、ステップＳ１９に進んでこの処理を終了する。
【００４１】
また、ステップＳ１６で車載オーディオ装置と作動中の車載ナビゲーション装置とを接続していると判別したときには、ナビゲーション装置により目的地近くに走行したことを検出したか否かを判別する（ステップＳ１７）。ここで目的地近くに走行したことを未だ検出していない時にはステップＳ１９に進んでこの処理を終了する。ステップＳ１７で目的地近くに走行したことを検出したときには、ステップＳ１８に進んで前記と同様に外部接続オーディオプレーヤに電源ＯＦＦ信号を出力する。なお、図２に示す例以外にて、ステップＳ１２、Ｓ１３、１４、１５及び１６と１７の判別の順序を任意に入れ替えても同様に作動させることができる。
【００４２】
車載ナビゲーション装置において図２に示すような処理を行うとき、これと接続している外部接続オーディオプレーヤとしての携帯オーディオプレーヤにおいては、その携帯オーディオプレーヤに図１に示すような外部からの電源ＯＦＦ信号を入力して電源ＯＦＦ作動を行う機能を備えているときには、例えば図３に示すような作動フローにより電源ＯＦＦの作動を行うことができる。即ち図３に示す携帯オーディオプレーヤの電源ＯＦＦ処理においては、外部接続オーディオ装置からの操作信号を受信し（ステップＳ２１）、受信した操作信号に電源ＯＦＦ信号があるか否かを判別する（ステップＳ２２）。ここでの外部接続オーディオ装置は、車載オーディオ装置１となる。この判別で電源ＯＦＦ信号があると判別したとき、即ち車載オーディオ装置から携帯オーディオプレーヤへの電源ＯＦＦ信号を受信したときには、ステップＳ２４に進んで携帯オーディオプレーヤの電源をＯＦＦする作動を行う。
【００４３】
また、ステップＳ２２で電源ＯＦＦ信号を受信していないと判別したときには、ステップＳ２３に進んで機器内部で電源ＯＦＦ信号を出力しているか否かを判別する。この作動は通常のオーディオ装置と同様であり、ここで電源ＯＦＦ信号を出力していないと判別したときにはステップＳ２１に戻って前記作動を繰り返す。また内部で電源ＯＦＦ信号が出力されたことを検出したときには、ステップＳ２４に進んでこの携帯オーディオプレーヤの電源をＯＦＦする。  
【図面の簡単な説明】
【００４４】
【図１】本発明の実施例の機能ブロック図である。
【図２】同実施例における車載オーディオ装置での、外部接続オーディオプレーヤの電源ＯＦＦ信号を出力する処理を行う作動フロー図である。
【図３】同実施例における携帯オーディオプレーヤの電源ＯＦＦ処理を行う作動フロー図である。
【図４】本発明が適用される車載オーディオ装置を中心としたシステム構成図である。
【符号の説明】
【００４５】
１  車載オーディオ装置    
２  外部オーディオプレーヤ接続部
３  信号入出力部
４  オーディオデータ入力部
５  オーディオ再生部
６  オーディオ出力部
７  スピーカシステム
８  画像出力部
９  モニタ
１０  操作信号入力部
１１  タッチパネル
１２  リモコン
１３  機器設置ＳＷ
１４  外部接続オーディオプレーヤ電源ＯＮ  ＯＦＦ信号出力部
１６  再生停止検出部
１７  装置電源ＯＦＦ検出部
１８  車両ＡＣＣ  ＯＦＦ検出部
２０  接続機器識別部
２１  電源ＯＦＦ信号出力可能機器判別部
２２  ナビゲーション装置
２３  目的地到着検出部
２５  携帯オーディオプレーヤ
３４  外部オーディオ装置接続部
３７  電源ＯＮＯＦＦ指示部
３８  電源制御部
３９  内蔵電源
４０  信号送受信系統
【図１】
2009129504.tif 000003
【図２】
2009129504.tif 000004
【図３】
2009129504.tif 000005
【図４】
2009129504.tif 000006